(57)【要約】【課題】  本発明はチェン刃に付着したオガクズを、該チェン刃の移動方向とは逆方向に回転するブラシで、確実に外方へ排出するとともに、該ブラシを動力を用いることなく駆動させ、経済的で効率よく稼動させることができるチェンソーを得るにある。【解決手段】  ハンドルおよびチェンスプロケットが設けられた本体と、この本体より突出するように設けられたチェンバーと、このチェンバーの外周部を回転するチェンスプロケットと係合するチェン刃と、チェンバーの突出先端部を除く部位の、チェンバーおよび本体を覆うカバーと、このカバーのチェンバーの突出側に取付けられた上部に位置する、チェン刃の側面と接触して回転する一対のローラ、この一対のローラの回転をそれぞれ軸を介して、下方に位置するチェン刃の側面に付着したオガクズを除去する一対のオガクズ除去ブラシとからなるオガクズ除去装置と、本体に取付けられたチェンスプロケットを回転駆動させるチェンスプロケット駆動装置とでチェンソーを構成している。【選択図】  図４
2012250444.tif 000002
【特許請求の範囲】
【請求項１】
ハンドルおよびチェンスプロケットが設けられた本体と、この本体より突出するように設けられたチェンバーと、このチェンバーの外周部を回転する前記チェンスプロケットと係合するチェン刃と、前記チェンバーの突出先端部を除く部位の、前記チェンバーおよび前記本体を覆うカバーと、このカバーの前記チェンバーの突出側に取付けられた上部に位置する、前記チェン刃の側面と接触して回転する一対のローラ、この一対のローラの回転をそれぞれ軸を介して下方に位置するチェン刃の側面に付着したオガクズを除去する一対のオガクズ除去ブラシとからなるオガクズ除去装置と、前記本体に取付けられたチェンスプロケットを回転駆動させるチェンスプロケット駆動装置とからなることを特徴とするチェンソー。
【請求項２】
オガクズ除去装置は一対のローラ間および一対のオガクズ除去ブラシ間の間隔を調整できるとともに、一対のローラと一対のオガクズ除去ブラシとの間隔を調整できるように構成されていることを特徴とする請求項１記載のチェンソー。
【発明の詳細な説明】
【技術分野】
【０００１】
本発明は木材の切断、枝打ちや枝払い作業等に使用されるチェンソーに関する。
【背景技術】
【０００２】
従来、この種のチェンソーは木材の切断、枝打ちや枝払い作業を行なった場合、チェン刃に木材の切断時や枝の切断時に発生するオガクズやチェンオイルが飛び散り作業衣や防護眼鏡等に付着して、作業衣の汚れが大変で、同時に作業者の首筋からオガクズが飛び込むのでタオル等で頻繁に払い落とさなければならなかった、
また、切断時に発生するオガクズがチェンスプロケットカバー内に入り込み、該チェンスプロケットカバー内に溜り、頻繁にチェンスプロケットカバーを外してオガクズの除去作業を行なわなくてはならないという欠点があった。
【０００３】
この欠点を解消するために。チェンスプロケットカバーの先端部にチェン刃に付着したオガクズを除去するオガクズ除去ブラシを設置する考えが、当出願人によって提案されているが、この方法ではチェン刃にオガクズ除去ブラシを押し当てるだけで、効率よくチェン刃に付着したオガクズを除去できないとともに、チェンスプロケットカバー内にもオガクズが侵入しやすいという欠点があった。
【先行技術文献】
【特許文献】
【０００４】
【特許文献１】特開２００４−１８８７２４号公報
【発明の概要】
【発明が解決しようとする課題】
【０００５】
本発明は以上のような従来の欠点に鑑み、チェン刃に付着したオガクズを、該チェン刃の移動方向とは逆方向に回転するブラシで、確実に外方へ排出するとともに、該ブラシを動力を用いることなく駆動させ、経済的で効率よく稼動させることができるチェンソーを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はハンドルおよびチェンスプロケットが設けられた本体と、この本体より突出するように設けられたチェンバーと、このチェンバーの外周部を回転する前記チェンスプロケットと係合するチェン刃と、前記チェンバーの突出先端部を除く部位の、前記チェンバーおよび前記本体を覆うカバーと、このカバーの前記チェンバーの突出側に取付けられた上部に位置する、前記チェン刃の側面と接触して回転する一対のローラ、この一対のローラの回転をそれぞれ軸を介して下方に位置するチェン刃の側面に付着したオガクズを除去する一対のオガクズ除去ブラシとからなるオガクズ除去装置と、前記本体に取付けられたチェンスプロケットを回転駆動させるチェンスプロケット駆動装置とでチェンソーを構成している。
【発明の効果】
【０００８】
以上の説明から明らかなように、本発明にあっては次に列挙する効果が得られる。
（１）請求項１により、チェン刃の駆動によって、該チェン刃の移動方向と反対方向にオガクズ除去ブラシを回転させることができる。
したがって、オガクズが付着したチェン刃よりオガクズ除去ブラシでオガクズを除去することができるとともに、オガクズ除去ブラシの回転でオガクズやチェンオイルを外方へ排出でき、作業衣や防護眼鏡等に付着したり、作業者の首筋からの侵入を効率よく阻止して、楽に木材の切断、枝打ちや枝払い作業等を行うことができる
また、オガクズがカバー内へ侵入するのを効率よく阻止できるので、カバー内のオガクズを除去する作業回数を大幅に少なくすることができる。
このため、チェンソーの稼動率を効率よく向上させることができる。
（２）前記（１）により、オガクズ除去ブラシをチェン刃の回転によって回転駆動させるため、モータ等の駆動装置が不要で、経済的に使用することができる。
（３）前記（１）により、オガクズ除去装置は上部に位置するチェン刃の側面と接触して回転する一対のローラと、この一対のローラの回転をそれぞれ軸を介して下方に位置するチェン刃の側面に付着したオガクズを除去する一対のオガクズ除去ブラシとで構成されているので、構造が簡単で、安価に設置することができる。
（４）請求項２も前記（１）〜（３）と同様な効果が得られるとともに、一対のローラの間隔を調整して、一対のローラがチェン刃の両側面に接触する圧力を最適に調整することができる。
【図面の簡単な説明】
【０００９】
【図１】本発明を実施するための第１の形態の平面図。
【図２】本発明を実施するための第１の形態の側面図。
【図３】本発明を実施するための第１の形態の正面図。
【図４】図２の４−４線に沿う断面図。
【図５】本発明を実施するための第１の形態のオガクズ除去装置の説明図。
【図６】本発明を実施するための第１の形態の切断している状態の説明図。
【図７】本発明を実施するための第２の形態の平面図。
【図８】本発明を実施するための第２の形態の側面図。
【図９】図７の９−９線に沿う断面図。
【図１０】本発明を実施するための第２の形態のオガクズ除去装置の説明図。
【図１１】本発明を実施するための第３の形態の平面図。
【図１２】本発明を実施するための第３の形態の側面図。
【図１３】図１１の１３−１３線に沿う断面図。
【図１４】本発明を実施するための第4の形態の平面図。
【図１５】本発明を実施するための第4の形態の側面図。
【図１６】図１４の１６−１６線に沿う断面図。
【発明を実施するための形態】
【００１０】
以下、図面に示す本発明を実施するための形態により、本発明を詳細に説明する。
【００１１】
図１ないし図６に示す本発明を実施するための第１の形態において、１は木材の切断、枝打ちや枝払い作業時に使用する本発明のチェンソーで、このチェンソー１はハンドル２およびチェンスプロケット３が取付けられた本体４と、この本体４より突出するように一体あるいは着脱可能に固定状態で設けられたチェンバー５と、このチェンバー５の外周部を回転する、前記チェンスプロケット３と係合するチェン刃６と、前記チェンバー５の突出先端部を除く部位の前記チェンバー５および前記本体４を覆うカバー７と、このカバー７の前記チェンバー５の突出側に取付けられたオガクズ除去装置８と、前記本体４に取付けられた前記チェンスプロケット３を回転駆動させる電動モータ、エンジン、油圧モータのチェンスプロケット駆動装置９とで構成されている。
【００１２】
前記オガクズ除去装置８は、前記カバー７の前部の前記チェン刃６の両側部に位置する下部位置に取付けられた一対の下部軸受１０、１０と、この下部軸受１０、１０と対応する前記カバー７の前部の上部位置に形成された左右方向の長孔１１、１１と、この長孔１１、１１上をスライド移動するように蝶ナット１２、１２で位置調整可能に取付けられた、該長孔１１、１１部位に上部軸受１３を有する一対の上部軸受取付金具１４、１４と、前記一対の下部軸受１０、１０に下端部が取付けられた上部が前記チェン刃６の上部寄りの部位に位置する下部軸１５、１５と、前記一対の上部軸受取付金具１４、１４に取付けられた上部軸受１３、１３に上部が取付けられ、下端部が前記下部軸１５、１５と上下移動可能で、かつ回転不能に取付けられた上部軸１６、１６と、この上部軸１６、１６にそれぞれ固定状態で取付けられた、前記チェン刃６の両側面と接触し、該チェン刃６の移動で回転するゴムや合成樹脂材製のローラ１７、１７と、前記下部軸１５、１５に取付けられた下部位置のチェン刃６の両側部に付着したオガクズを除去するオガクズ除去ブラシ１８、１８とで構成され、上部位置のチェン刃６の両側面とローラ１７、１７との接触力が最適となるように蝶ナット１２、１２で上部軸受取付金具１４、１４の上部軸受１３、１３部位を長孔１１、１１に添って移動させて調整する。
【００１３】
上記構成のチェンソー１はチェン刃６をチェンスプロケット駆動装置９で駆動させると、チェンバー５の外周部を回転する。
【００１４】
このため、チェン刃６で枝打ち、枝払いの作業や木材を切断する場合、チェン刃６の先端下部位置を枝や木材に当てて切断する。この時、切断によって発生するオガクズはチェン刃６に付着してカバー７方向へ移動してくるが、オガクズ除去装置８のローラ１７、１７で回転するオガクズ除去ブラシ１８、１８がチェン刃６に付着したオガクズ１９を前方へ飛ばして除去するように回転するため、カバー７内へオガクズが侵入するのを効率よく阻止しながら、枝や木材の切断作業をオガクズやチェンオイルが作業衣や防護眼鏡等に付着したり、作業者の首筋からの侵入を効率よく阻止しながら行なうことができる。    
【００１５】
[発明を実施するための異なる形態]
次に、図７ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１６】
図７ないし図１０に示す本発明を実施するための第２の形態において、前記本発明を実施するための第１の形態と主に異なる点は、一対のローラ１７、１７と一対のオガクズ除去ブラシ１８、１８とを１本の軸２０、２０で接続した点で、このように構成したオガクズ除去装置８Ａを用いたチェンソー１Ａにしても、前記本発明を実施するための第１の形態と同様な作用効果が得られる。
【００１７】
図１１ないし図１３に示す本発明を実施するための第３の形態において、前記本発明を実施するための第１の形態と主に異なる点は、オガクズ除去装置８が取付けられた接続カバー２１をカバー７の先端部に複数本のビス２２で着脱可能に取付けた点で、このようにカバー７の先端部にオガクズ除去装置８を備えた接続カバー２１を着脱可能に取付けたチェンソー１Ｂにしても、前記本発明を実施するための第１の形態と同様な作用効果が得られる。
【００１８】
図１４ないし図１６に示す本発明を実施するための第４の形態において、前記本発明を実施するための第１の形態と主に異なる点は、種類の異なる既存のチェンソー１Ｘのカバー７の先端部に上下左右方向にスライド移動可能に寸法調整することができる分割接続カバー２１ａ、２１ｂ、２１ｃ、２１ｄを用いたオガクズ除去装置８を備えた接続カバー２１Ａを取付けた点で、このような接続カバー２１Ａを既存のチェンソー１Ｘのカバー７の先端部に取り付けたチェンソー１Ｃにしても、前記本発明を実施するための第１の形態と同様な作用効果が得られるとともに、種類の異なる既存のチェンソーにも本発明を施すことができる。
【産業上の利用可能性】
【００１９】
本発明は枝打ちや枝払い、木材の切断等に使用されるチェンソーを製造する産業で利用される。
【符号の説明】
【００２０】
１、１Ａ、１Ｂ、１Ｃ：チェンソー、
１Ｘ：既存のチェンソー、      ２：ハンドル、
３：チェンスプロケット、    ４：本体、
５：チェンバー、      ６：チェン刃、
７：カバー、        ８、８Ａ：オガクズ除去装置、
９：チェンスプロケット駆動装置、
１０：下部軸受、      １１：長孔、
１２：蝶ナット、      １３：上部軸受
１４：上部軸受取付金具、    １５：下部軸、
１６：上部軸、      １７：ローラ、
１８：オガクズ除去ブラシ、  １９：オガクズ、
２０：軸、        ２１、２１Ａ：接続カバー、
２２：ビス。
【図１】
2012250444.tif 000003
【図２】
2012250444.tif 000004
【図３】
2012250444.tif 000005
【図４】
2012250444.tif 000006
【図５】
2012250444.tif 000007
【図６】
2012250444.tif 000008
【図７】
2012250444.tif 000009
【図８】
2012250444.tif 000010
【図９】
2012250444.tif 000011
【図１０】
2012250444.tif 000012
【図１１】
2012250444.tif 000013
【図１２】
2012250444.tif 000014
【図１３】
2012250444.tif 000015
【図１４】
2012250444.tif 000016
【図１５】
2012250444.tif 000017
【図１６】
2012250444.tif 000018